(57)【特許請求の範囲】
【請求項１】
電子機器を内部に設置するラックを並べて配置されたラック列が形成されて、２列の前
記ラック列の排気面同士を向かい合わせて配置されたラック群が形成された部屋において
、
前記ラック群に低温空気を供給する複数の冷却装置と、
前記ラック群に吸い込まれる低温空気の吸込温度を計測する温度計測装置と、
前記複数の冷却装置の各冷却装置の起動または停止を判定する制御装置と、
を備え、
前記制御装置は、
前記温度計測装置の計測点が計測対象とする前記ラック群へ供給される低温空気の風量比が高い冷却装置を演算し、
前記演算の結果に基づいて各冷却装置の起動または停止を判定するものであり、
前記制御装置は、
各ラック群と各冷却装置との距離、および、各冷却装置の運転状態の関数として、ある
冷却装置からあるラック群へ供給される低温空気の風量比を算出する近似式を有し、
前記温度計測装置で計測した温度の最大値が第１閾値よりも高い場合、
各冷却装置から温度が最大値となるラック群へ供給される低温空気の風量比を前記近似
式によって算出し、
前記算出した風量比が最も高い前記冷却装置を起動すると判定する
ことを特徴とする冷却システム。
【請求項２】
前記制御装置は、
前記温度計測装置で計測した温度の最大値が第１閾値よりも低く、かつ、前記温度計測
装置で計測した温度の最小値が第２閾値よりも低い場合、
各冷却装置から温度が最小値となるラック群へ供給される低温空気の風量比を前記近似
式によって算出し、
前記算出した風量比が最も高い前記冷却装置を停止すると判定する
ことを特徴とする請求項１に記載の冷却システム。
【請求項３】
前記電子機器の近傍に設置して前記電子機器の発熱を局所的に冷却する複数の局所冷却
装置をさらに備える
ことを特徴とする請求項１に記載の冷却システム。
【請求項４】
前記制御装置は、
各ラック群と各冷却装置との距離、各ラック群と各局所冷却装置との距離、各冷却装置
の運転状態、および、各局所冷却装置の運転状態の関数として、ある冷却装置からあるラ
ック群へ供給される低温空気の風量比を算出する近似式を有し、
前記温度計測装置で計測した温度の最大値が第１閾値よりも高い場合、
各冷却装置から温度が最大値となるラック群へ供給される低温空気の風量比を前記近似
式によって算出し、
前記算出した風量比が最も高い前記冷却装置を起動すると判定する
ことを特徴とする請求項３に記載の冷却システム。
【請求項５】
前記制御装置は、
前記温度計測装置で計測した温度の最大値が第１閾値よりも低く場合、かつ、前記温度
計測装置で計測した温度の最小値が第２閾値よりも低い場合、
各冷却装置から温度が最小値となるラック群へ供給される低温空気の風量比を前記近似
式によって算出し、
前記算出した風量比が最も高い前記冷却装置を停止すると判定する
ことを特徴とする請求項４に記載の冷却システム。
【請求項６】
前記制御装置は、
停止すると判定した前記冷却装置が、前回の動作で起動した前記冷却装置である場合、
前記冷却装置を停止しないと判定する
ことを特徴とする請求項２または請求項５に記載の冷却システム。
【請求項７】
電子機器を内部に設置するラックを並べて配置されたラック列が形成されて、２列の前
記ラック列の排気面同士を向かい合わせて配置されたラック群が形成された部屋において
、前記ラック群に低温空気を供給する複数の冷却装置を制御する空調制御装置であって、
前記ラック群に吸い込まれる低温空気の吸込温度を計測する温度計測装置の計測点が計測対象とする前記ラック群へ供給される低温空気の風量比が高い冷却装置を演算し、
前記演算の結果に基づいて各冷却装置の起動または停止を判定するものであり、
各ラック群と各冷却装置との距離、および、各冷却装置の運転状態の関数として、ある冷却装置からあるラック群へ供給される低温空気の風量比を算出する近似式を有し、
前記温度計測装置で計測した温度の最大値が第１閾値よりも高い場合、
各冷却装置から温度が最大値となるラック群へ供給される低温空気の風量比を前記近似式によって算出し、
前記算出した風量比が最も高い前記冷却装置を起動すると判定する
ことを特徴とする空調制御装置。
【請求項８】
電子機器を内部に設置するラックを並べて配置されたラック列が形成されて、２列の前
記ラック列の排気面同士を向かい合わせて配置されたラック群が形成された部屋において
、前記ラック群に低温空気を供給する複数の冷却装置と、前記ラック群に吸い込まれる低
温空気の吸込温度を計測する温度計測装置と、各冷却装置の起動または停止を判定する制
御装置と、を備える冷却システムの空調制御方法であって、
前記制御装置は、
前記温度計測装置で計測した温度の最大値が第１閾値よりも高い場合、
各冷却装置から温度が最大値となるラック群へ供給される低温空気の風量比を近似式に
よって算出し、前記算出した風量比が最も高い前記冷却装置を起動すると判定し、
前記温度計測装置で計測した温度の最大値が第１閾値よりも低く、かつ、前記温度計測
装置で計測した温度の最小値が第２閾値よりも低い場合、
各冷却装置から温度が最小値となるラック群へ供給される低温空気の風量比を前記近似
式によって算出し、前記算出した風量比が最も高い前記冷却装置を停止すると判定する
ことを特徴とする空調制御方法。
【発明の詳細な説明】
【技術分野】
【０００１】
本発明は、冷却システム、空調制御装置および空調制御方法に関し、特にサーバルームの空調を制御する冷却システム、空調制御装置および空調制御方法に関する。
【背景技術】
【０００２】
サーバルームには、コンピュータやサーバ等の電子機器（以下、「機器」と称する。）が集約された状態で多数設置され、これらの機器が昼夜にわたって連続稼働している。サーバルームにおける機器の設置は、ラックマウント方式が主流になっている。ラックマウント方式は、機器を機能単位別に分割して収納するラック（筺体）を、キャビネットに段積みする方式であり、かかるキャビネットがサーバルームの床上に多数整列配置されている。ラックに収納されている機器は、前面から低温空気を吸い込み、機器の内部を冷却して、背面から高温空気を排気するものが一般的である。
【０００３】
これらの機器は、高温状態になるとシステム停止等のトラブルを引き起こすおそれがあるため、複数の冷却装置によって機器から排気された高温空気を冷却することで、サーバルームは一定の温度環境に管理され、特に、ラックの吸込温度が所定温度以下となるように管理されている。しかしながら、機器からの発熱量が小さく、冷却装置を全台運転する必要がない場合でも、ラックの吸込温度が所定温度を超えることを懸念して、冷却装置の全台運転を行っているのが現状である。
【０００４】
そのため、省エネルギの観点からラックの吸込温度を所定温度以下に維持し、かつ、必要な台数だけ冷却装置を運転させ、システム全体の消費電力を削減する手法が求められている。
【０００５】
例えば、特許文献１には、発熱部品を備えた電子機器と、前記電子機器に冷却風を供給するファンと、前記ファンの回転数を制御する制御部とを有し、前記制御部は、前記電子機器の消費電力の上昇率が第１の閾値よりも小さい第１の場合に、前記発熱部品の将来の温度を予測することにより、前記発熱部品の前記温度が許容範囲に収まるように前記ファンの回転数を制御し、前記上昇率が前記第１の閾値以上となる第２の場合に、前記第１の場合におけるよりも大きな回転数となるように前記ファンの回転数の制御を切り替えることを特徴とする空調制御システムが開示されている（請求項１参照）。
【先行技術文献】
【特許文献】
【０００６】
【特許文献１】特開２０１５−１６２０９８号公報
【発明の概要】
【発明が解決しようとする課題】
【０００７】
しかしながら、特許文献１に開示された手法では、ファン回転数制御に電子機器の温度測定値や電力計測値を用いている。実際のサーバルーム（データセンタ）では、電子機器およびそれらを設置するラックの台数が膨大であり、それらラック１台ごとに計測機器を設置するのは設備所有者に大きな負担となり、また制御も複雑になる。
【０００８】
そこで、本発明は、少ない計測点数で省エネ化を実現する冷却システム、空調制御装置および空調制御方法を提供することを課題とする。
【課題を解決するための手段】
【０００９】
このような課題を解決するために、本発明係る冷却システムは、電子機器を内部に設置するラックを並べて配置されたラック列が形成されて、２列の前記ラック列の排気面同士を向かい合わせて配置されたラック群が形成された部屋において、前記ラック群に低温空気を供給する複数の冷却装置と、前記ラック群に吸い込まれる低温空気の吸込温度を計測する温度計測装置と、前記複数の冷却装置の各冷却装置の起動または停止を判定する制御装置と、を備え、前記制御装置は、前記温度計測装置の計測点が計測対象とする前記ラック群へ供給される低温空気の風量比が高い冷却装置を演算し、前記演算の結果に基づいて各冷却装置の起動または停止を判定するものであり、前記制御装置は、各ラック群と各冷却装置との距離、および、各冷却装置の運転状態の関数として、ある冷却装置からあるラック群へ供給される低温空気の風量比を算出する近似式を有し、前記温度計測装置で計測した温度の最大値が第１閾値よりも高い場合、各冷却装置から温度が最大値となるラック群へ供給される低温空気の風量比を前記近似式によって算出し、前記算出した風量比が最も高い前記冷却装置を起動すると判定することを特徴とする。
【００１０】
また、本発明に係る空調制御装置は、電子機器を内部に設置するラックを並べて配置されたラック列が形成されて、２列の前記ラック列の排気面同士を向かい合わせて配置されたラック群が形成された部屋において、前記ラック群に低温空気を供給する複数の冷却装置を制御する空調制御装置であって、前記ラック群に吸い込まれる低温空気の吸込温度を計測する温度計測装置の計測点が計測対象とする前記ラック群へ供給される低温空気の風量比が高い冷却装置を演算し、前記演算の結果に基づいて各冷却装置の起動または停止を判定するものであり、各ラック群と各冷却装置との距離、および、各冷却装置の運転状態の関数として、ある冷却装置からあるラック群へ供給される低温空気の風量比を算出する近似式を有し、前記温度計測装置で計測した温度の最大値が第１閾値よりも高い場合、各冷却装置から温度が最大値となるラック群へ供給される低温空気の風量比を前記近似式によって算出し、前記算出した風量比が最も高い前記冷却装置を起動すると判定することを特徴とする。
【００１１】
また、本発明に係る空調制御方法は、電子機器を内部に設置するラックを並べて配置されたラック列が形成されて、２列の前記ラック列の排気面同士を向かい合わせて配置されたラック群が形成された部屋において、前記ラック群に低温空気を供給する複数の冷却装置と、前記ラック群に吸い込まれる低温空気の吸込温度を計測する温度計測装置と、各冷却装置の起動または停止を判定する制御装置と、を備える冷却システムの空調制御方法であって、前記制御装置は、前記温度計測装置で計測した温度の最大値が第１閾値よりも高い場合、各冷却装置から温度が最大値となるラック群へ供給される低温空気の風量比を近似式によって算出し、前記算出した風量比が最も高い前記冷却装置を起動すると判定し、前記温度計測装置で計測した温度の最大値が第１閾値よりも低く、かつ、前記温度計測装置で計測した温度の最小値が第２閾値よりも低い場合、各冷却装置から温度が最小値となるラック群へ供給される低温空気の風量比を前記近似式によって算出し、前記算出した風量比が最も高い前記冷却装置を停止すると判定することを特徴とする
【発明の効果】
【００１２】
本発明によれば、少ない計測点数で省エネ化を実現する冷却システム、空調制御装置および空調制御方法を提供することができる。
【図面の簡単な説明】
【００１３】
【図１】第１実施形態に係る冷却システムの構成例を示す平面図である。
【図２】第１実施形態に係る冷却システムの制御装置の処理を示すフローチャートである。
【図３】第２実施形態に係る冷却システムの構成例を示す平面図である。
【図４】変形例に係る冷却システムの構成例を示す立面図である。
【発明を実施するための形態】
【００１４】
以下、本発明を実施するための形態（以下「実施形態」という）について、適宜図面を参照しながら詳細に説明する。なお、各図において、共通する部分には同一の符号を付し重複した説明を省略する。
【００１５】
≪第１実施形態≫
＜冷却システムＳ＞
第１施形態に係る冷却システムＳについて、図１を用いて説明する。図１は、第１実施形態に係る冷却システムＳの構成例を示す平面図である。
【００１６】
図１に示すように、室（コンピュータルーム，サーバルーム）Ｒには、コンピュータやサーバ等の電子機器（以下、「機器」と称する。）を収納したラック１０が複数設置されている。ラック１０は、機器が内蔵するファン（図示せず）により、前面を給気面とし、背面を排気面として、給気面から取り込んだ空気で機器の内部を冷却し、排気面から高温空気を排気するようになっている。
【００１７】
ラック１０は、給気面と排気面を揃えて配置したラック列を形成しており、さらに、２列のラック列の排気面同士を向かい合わせて配置したラック群１５が形成されている。また、ラック群１５がラック列の給気面同士を向かい合わせて配置されている。これにより、図１に示すように、ラック列の給気面同士が対向するコールドアイル（Cold aisle；寒い通路）ＣＡと、ラック列の排気面同士が対向するホットアイル（Hot aisle；熱い通路）ＨＡと、が交互に形成される。
【００１８】
第１実施形態に係る冷却システムＳは、冷却装置２０と、温度センサ３０（温度計測装置）と、制御装置４０と、を備えている。
【００１９】
冷却装置２０は、図１に示すように、室Ｒの周囲部に複数設置されている。冷却装置２０は、空調機（Computer Room Air Conditioning；ＣＲＡＣ）であり、ホットアイルＨＡからの高温空気を取り込んで冷却し、低温空気をコールドアイルＣＡに供給する。なお、冷却装置２０の運転／停止は、制御装置４０により制御される。
【００２０】
図１に示すように、ラック１０の排気面から排気された高温空気（暖気）は、ホットアイルＨＡに排気され、室Ｒの上部を通って、冷却装置２０に吸い込まれる。そして、冷却装置２０で冷却された低温空気（冷風）は、室Ｒの二重床空間を通って、各コールドアイルＣＡに供給され、ラック１０の給気面から吸い込まれる。このように、冷却システムＳは、室Ｒに設置されたラック１０を冷却する、換言すれば、ラック１０に収納した機器（図示せず）を冷却する。
【００２１】
各コールドアイルＣＡには、温度センサ３０が設置され、ラック１０の給気面からラック１０の内部に吸込まれる低温空気の温度を計測することができるようになっている。温度センサ３０の検出信号は、制御装置４０に出力される。
【００２２】
なお、温度センサ３０は、ラック群１５の給気面と対応付けされており、図１に示す構成においては、ラック群１５の両側の給気面（換言すれば、ラック群１５と接するコールドアイルＣＡ）に対して、それぞれ３ヶ所の温度センサ３０の計測点が設けられている。
【００２３】
制御装置４０は、温度センサ３０で検出した温度に基づいて、冷却装置２０の運転／停止を判定し、冷却装置２０の運転／停止を制御する。図１に示すように、制御装置４０は、温度取得部４１と、運転状態取得部４２と、運転判定部４３と、記憶部４４と、を備えている。
【００２４】
温度取得部４１は、温度センサ３０で検出したコールドアイルＣＡの温度を取得する。
【００２５】
運転状態取得部４２は、現在の冷却装置２０の運転状態（どの冷却装置２０が運転しているか、停止しているか）を取得する。
【００２６】
運転判定部４３は、温度取得部４１で取得した温度情報および運転状態取得部４２で取得した現在の運転状態情報に基づいて、冷却装置２０の運転／停止を判定する。
【００２７】
記憶部４４は、運転判定部４３が冷却装置２０の運転／停止を判定する際に用いる情報が格納されている。
【００２８】
そして、制御装置４０は、運転判定部４３の判定結果に基づいて、各冷却装置２０の運転／停止を制御することにより、冷却システムＳ全体を制御する。
【００２９】
＜運転判定処理＞
次に、制御装置４０の処理について、図２を用いて説明する。図２は、第１実施形態に係る冷却システムＳの制御装置４０の処理を示すフローチャートである。
【００３０】
ステップＳ１０１において、制御装置４０の温度取得部４１は、温度センサ３０からコールドアイルＣＡの各計測点（各温度センサ３０の設置位置）の温度Ｔ（Ｔ1〜Ｔi、ｉは計測点数）を取得する。
【００３１】
ステップＳ１０２において、制御装置４０の運転判定部４３は、ステップＳ１０１で取得したコールドアイルＣＡの温度Ｔ（Ｔ1〜Ｔi）のなかで最大のものを最大温度Ｔmaxとする。そして、運転判定部４３は、最大温度Ｔmaxが予め設定された第１閾値Ｔset1よりも大きいか否かを判定する（Ｔmax＞Ｔset1？）。なお、第１閾値Ｔset1は、冷却装置２０の運転が不足であるか否かを判定するための閾値である。最大温度Ｔmaxが第１閾値Ｔset1よりも大きい場合（Ｓ１０２・Ｙｅｓ）、制御装置４０の処理はステップＳ１０３に進む。一方、最大温度Ｔmaxが第１閾値Ｔset1よりも大きくない場合（Ｓ１０２・Ｎｏ）、制御装置４０の処理はステップＳ１０６に進む。
【００３２】
ステップＳ１０３において、制御装置４０の運転状態取得部４２は、冷却装置２０の運転状態を取得する。そして、制御装置４０の運転判定部４３は、停止している冷却装置２０のそれぞれについて、温度Ｔが最大（最大温度Ｔmax）となる計測点が含まれるラック群１５（ラック群ｎ）へ供給する風量比率（寄与率）を計算する。なお、寄与率の計算方法については、後述する。
【００３３】
ステップＳ１０４において、制御装置４０の運転判定部４３は、停止している冷却装置２０のうち、最大温度Ｔmaxとなる計測点が含まれるラック群１５（ラック群ｎ）への寄与率が最も高い冷却装置２０を選定する。
【００３４】
ステップＳ１０５において、制御装置４０は、ステップＳ１０４で選定した冷却装置２０を起動する。また、制御装置４０は、起動した冷却装置２０の番号を記憶部４４に記憶する。そして、制御装置４０の処理はステップＳ１０１に戻る。
【００３５】
ステップＳ１０６において、制御装置４０の運転判定部４３は、ステップＳ１０１で取得したコールドアイルＣＡの温度Ｔ（Ｔ1〜Ｔi）のなかで最小のものを最小温度Ｔminとする。そして、運転判定部４３は、最小温度Ｔminが予め設定された第２閾値Ｔset2よりも小さいか否かを判定する（Ｔmin＜Ｔset2？）。なお、第２閾値Ｔset2は、冷却装置２０の運転が過剰であるか否かを判定するための閾値であり、第１閾値Ｔset1よりも小さな値である。最小温度Ｔminが第２閾値Ｔset2よりも小さい場合（Ｓ１０６・Ｙｅｓ）、制御装置４０の処理はステップＳ１０７に進む。一方、最小温度Ｔminが第２閾値Ｔset2よりも小さくない場合（Ｓ１０６・Ｎｏ）、制御装置４０の処理はステップＳ１０１に戻る。
【００３６】
ステップＳ１０７において、制御装置４０の運転状態取得部４２は、冷却装置２０の運転状態を取得する。そして、制御装置４０の運転判定部４３は、運転している冷却装置２０のそれぞれについて、温度Ｔが最小（最小温度Ｔmin）となる計測点が含まれるラック群１５（ラック群ｍ）へ供給する風量比率（寄与率）を計算する。なお、寄与率の計算方法については、後述する。
【００３７】
ステップＳ１０８において、制御装置４０の運転判定部４３は、運転している冷却装置２０のうち、最小温度Ｔminとなる計測点が含まれるラック群１５（ラック群ｍ）への寄与率が最も高い冷却装置２０を選定する。
【００３８】
ステップＳ１０９において、制御装置４０の運転判定部４３は、ステップＳ１０８で選定した冷却装置２０が前回起動した冷却装置２０であるか否かを判定する。ちなみに、前回起動した冷却装置２０の番号は記憶部４４に記憶されている。選定した冷却装置２０が前回起動した冷却装置２０である場合（Ｓ１０９・Ｙｅｓ）、冷却装置２０の選定を取り消して、制御装置４０の処理はステップＳ１０１に戻る。一方、選定した冷却装置２０が前回起動した冷却装置２０でない場合（Ｓ１０９・Ｎｏ）、制御装置４０の処理はステップＳ１１０に進む。
【００３９】
ステップＳ１１０において、制御装置４０は、ステップＳ１０８で選定した冷却装置２０を停止する。そして、制御装置４０の処理はステップＳ１０１に戻る。
【００４０】
＜寄与率の計算＞
次に、ステップＳ１０３における寄与率の計算およびステップＳ１０４における冷却装置２０の選定について説明する。
【００４１】
まず、予めラック群１５（ラック１０）や冷却装置２０のレイアウト、仕様を基にしたシミュレーションを行い、様々な冷却装置２０の運転状態（運転／停止）の組み合わせに対して、各冷却装置２０から各ラック群１５に供給される低温空気の風量比率を算出する。そして、上記の結果から各ラック群１５と各冷却装置２０の距離および各冷却装置２０の運転状態（運転／停止）の関数として、あるラック群１５へ冷却装置２０から供給される風量比率を算出する近似式を求める。
【００４２】
そして、ステップＳ１０３において、起動する冷却装置２０の候補となる冷却装置２０から、最大温度Ｔmaxとなる計測点が含まれるラック群１５へ供給される風量比率を前述の近似式により求める。この計算は、起動する冷却装置２０の候補、換言すれば、現在停止している冷却装置２０の全てについて行う。その後、ステップＳ１０４において、計算された風量比率が最も高い冷却装置２０を選定する。
【００４３】
次に、ステップＳ１０７における寄与率の計算およびステップＳ１０８における冷却装置２０の選定について説明する。
【００４４】
ステップＳ１０７において、停止する冷却装置２０の候補となる冷却装置２０から、最小温度Ｔminとなる計測点が含まれるラック群１５へ供給される風量比率を前述の近似式により求める。この計算は、停止する冷却装置２０の候補、換言すれば、現在運転している冷却装置２０の全てについて行う。その後、ステップＳ１０８において、計算された風量比率が最も高い冷却装置２０を選定する。
【００４５】
＜作用効果＞
このように、第１実施形態に係る冷却システムＳの制御装置４０は、最大温度Ｔmaxが第１閾値Ｔset1よりも大きいと判定すると、冷却装置２０の運転台数を増加する（Ｓ１０２・Ｙｅｓ…Ｓ１０５参照）。これにより、ラック１０の給気面に供給される低温空気の温度を第１閾値Ｔset1以下に保つことができ、機器の冷却不足を防止する。
【００４６】
この際、対象とする寄与率を計算して、その寄与率に基づいて起動する冷却装置２０を選択するので（Ｓ１０３，Ｓ１０４参照）、即ち、最大温度Ｔmaxとなる計測点が含まれるラック群１５へ供給される風量比率が最も高い冷却装置２０を選択する。これにより、対象とするラック群１５を効率よく冷却する冷却装置２０を選択することができるので、冷却装置２０の運転台数の増加数を抑制して、冷却システムＳのシステム効率を向上させることができる。
【００４７】
また、第１実施形態に係る冷却システムＳの制御装置４０は、最大温度Ｔmaxが第１閾値Ｔset1以下（即ち、計測点における温度Ｔ1〜Ｔiが全て第１閾値Ｔset1以下）で、かつ、最小温度Ｔminが第２閾値Ｔset2よりも小さいと判定すると、冷却装置２０が過剰に運転しているとして、冷却装置２０の運転台数を減少する（Ｓ１０６・Ｙｅｓ…Ｓ１１０参照）。これにより、過剰に運転している冷却装置２０を停止させて、冷却システムＳのシステム効率を向上させることができる。
【００４８】
この際、対象とする寄与率を計算して、その寄与率に基づいて停止する冷却装置２０を選択するので（Ｓ１０７，Ｓ１０８参照）、対象とするラック群１５の吸込温度を効率よく下げる冷却装置２０を選択する。換言すれば、他のラック群１５の冷却に与える影響の少ない冷却装置２０を選択することができるので、他のラック群１５の冷却に与える影響を抑えつつ、過剰に運転している冷却装置２０を停止することができる。
【００４９】
また、停止させるように選定した冷却装置２０が前回起動させた冷却装置２０である場合には（Ｓ１０９・Ｙｅｓ参照）、この冷却装置２０を停止させると冷却能力に不足が生じるおそれがあるため、選定した冷却装置２０の選定を取り消して、冷却装置２０を停止させず運転を継続する。これにより、当該冷却装置２０の発停を繰り返すことを防止することができる。
【００５０】
また、第１実施形態に係る冷却システムＳは、各コールドアイルＣＡごとに温度センサ３０を設けることにより達成できるので、特許文献１に開示された冷却システムと比較して、センサの数を削減することができ、イニシャルコストを下げることができる。
【００５１】
また、寄与率の高い冷却装置２０の運転および停止を行うので、様々な運転状態に対して、複雑な計算を行わなくても好適な冷却装置２０を選定することができる。
【００５２】
≪第２実施形態≫
＜冷却システムＳＡ＞
第２施形態に係る冷却システムＳＡについて、図３を用いて説明する。図３は、第２実施形態に係る冷却システムＳＡの構成例を示す平面図である。ここで、第２実施形態に係る冷却システムＳＡ（図３参照）は、第１実施形態に係る冷却システムＳ（図１参照）と比較して、局所冷却装置２５を備える点で異なっている。その他の構成は、第１実施形態に係る冷却システムＳと同様であり重複する説明を省略する。
【００５３】
第２実施形態に係る冷却システムＳＡは、冷却装置２０と、局所冷却装置２５と、温度センサ３０と、制御装置４０Ａと、を備えている。
【００５４】
前述のように、冷却装置２０は、室Ｒの上部を介して複数のホットアイルＨＡから高温空気を吸い込んで、室Ｒの二重床空間を介して複数のコールドアイルＣＡに低温空気を供給する。これに対し、局所冷却装置２５は、ラック１０に設置された機器の近傍に設置され、機器の発熱を局所的に冷却する。即ち、局所冷却装置２５は、冷却対象のラック１０の排気面と接したホットアイルＨＡから高温空気を取り込んで冷却し、低温空気を冷却対象のラック１０の給気面と接したコールドアイルＣＡに供給する。
【００５５】
なお、図３において、局所冷却装置２５は一部のラック列に配置されているものとして図示しているが、これに限られるものではなく、全てのラック列に局所冷却装置２５を配置してもよい。
【００５６】
制御装置４０Ａは、温度センサ３０で検出した温度に基づいて、冷却装置２０の運転／停止を判定し、冷却装置２０の運転／停止を制御する。図３に示すように、制御装置４０は、温度取得部４１と、運転状態取得部４２Ａと、運転判定部４３Ａと、記憶部４４と、を備えている。
【００５７】
運転状態取得部４２Ａは、現在の冷却装置２０の運転状態（どの冷却装置２０が運転しているか、停止しているか）と、現在の局所冷却装置２５どの局所冷却装置２５が運転しているか、停止しているか）の運転状態を取得する。
【００５８】
運転判定部４３Ａは、温度取得部４１で取得した温度情報および運転状態取得部４２Ａで取得した現在の運転状態情報に基づいて、冷却装置２０の運転／停止を判定する。
【００５９】
そして、制御装置４０Ａは、運転判定部４３Ａの判定結果に基づいて、各冷却装置２０の運転／停止を制御することにより、冷却システムＳ全体を制御する。
【００６０】
制御装置４０Ａの処理は、第１実施形態に係る冷却システムＳの制御装置４０の処理（図２参照）と同様である。但し、ステップＳ１０３およびステップＳ１０７で寄与率計算する際、運転している局所冷却装置２５を考慮する点で異なっている。即ち、各冷却装置２０とラック群１５の位置関係（距離）、各局所冷却装置２５とラック群１５の位置関係（距離）、各冷却装置２０の運転状態、および、各局所冷却装置２５の運転状態から冷却装置２０の寄与率を算定する近似式を用いて各冷却装置２０の寄与率（対象となるラック群１５へ供給される風量比率）を算出する。
【００６１】
＜作用効果＞
このように、第２実施形態に係る冷却システムＳＡによれば、局所冷却装置２５を備える構成においても第１実施形態に係る冷却システムＳと同様にシステム効率のよい冷却装置２０の台数制御が可能となる。
【００６２】
また、制御装置４０は、局所冷却装置２５の運転／停止を行わず、冷却装置２０の運転／停止を行うようになっている。これにより、消費電力の大きい冷却装置２０を台数制御することにより、システム効率が向上する。
【００６３】
≪変形例≫
なお、本実施形態に係る冷却システムＳ，ＳＡは、上記実施形態の構成に限定されるものではなく、発明の趣旨を逸脱しない範囲内で種々の変更が可能である。
【００６４】
本実施形態（第１，２実施形態）に係る冷却システムＳ，ＳＡが備える冷却装置２０の台数や配置位置は、図１，図３に示す台数や配置位置に限定されるものではない。また、冷却装置２０は室内Ｒに設置されているものとして説明したが、これに限られるものではなく、ホットアイルＨＡから高温空気を取り込む風路と、コールドアイルＣＡに低温空気を供給する風路と、を設け、冷却装置２０を室Ｒの外（機械室）に設置してもよい。
【００６５】
本実施形態（第１，２実施形態）に係る冷却システムＳ，ＳＡは、冷却装置２０からの低温空気を室Ｒの二重床空間を介して複数のコールドアイルＣＡに供給する床吹出し方式であるものとして説明したがこれに限られるものではない。また、図４に示すように、室ＲにホットアイルＨＡとコールドアイルＣＡとを仕切る間仕切りが設けられていてもよい。この間仕切りにより、ラック１０の排気面から排気された高温空気（図４において左下がりのハッチングを付した矢印参照）がラック１０の給気面へと再循環することを防止する。換言すれば、ラック１０の排気面から排気された高温空気と、冷却装置２０からラック１０の給気面に供給される低温空気（図４において白抜き矢印参照）と、が混合せず、分離する。これにより、システム効率が向上する。
【００６６】
制御装置４０は、冷却装置２０の運転の判定および制御を行うものとして説明したが、これに限定されるものではない。４１〜４３および判定結果を表示する表示装置（図示せず）を備える運転判定装置として、表示された判定結果に基づいて、運転者が冷却装置２０の運転／停止を操作する構成であってもよい。
【符号の説明】
【００６７】
Ｓ，ＳＡ      冷却システム
１０          ラック（機器）
１５          ラック群
２０          冷却装置
２５          局所冷却装置
３０          温度センサ（温度計測装置）
４０，４０Ａ  制御装置
４１          温度取得部
４２，４２Ａ  運転状態取得部
４３，４３Ａ  運転判定部
４４          記憶部
ＨＡ          ホットアイル
ＣＡ          コールドアイル
Ｒ            室（部屋）
【図１】
0006650759.tif 000002
【図２】
0006650759.tif 000003
【図３】
0006650759.tif 000004
【図４】
0006650759.tif 000005